(57)【要約】      （修正有）【課題】光学ドライブの着脱作業を正確に、且つ、容易に行うことができる光学ドライブ着脱機構を提供する。【解決手段】光学ドライブ着脱機構１Ａは、支持フレーム１１、ロック機構１Ｂ、ロック解除機構１Ｃ、コネクター接続機構１Ｄを備える。光学ドライブ３を支持する左側の支持板１４Ｌの上にロックレバー１５を設け、捻りバネ２０によってロック方向に付勢する。ロックレバー１５は、光学ドライブ３の挿入時にはその底面に設けられたロックピン１９に押されて退避し、光学ドライブ３が取付位置Ｐ１、Ｐ２に到達すると、ロック方向に復帰してロックピン１９と係合する。光学ドライブ３は、コネクター接続機構１Ｄによって前方に付勢されるため、取付時にはロックピン１９とロックレバー１５の係合位置に位置決めされる。また、ロック解除レバー１６を操作してロックレバー１５のロック状態を解除すると、光学ドライブ３が前方に押し出される。【選択図】図５
2013008416.tif 000002
【特許請求の範囲】
【請求項１】
光学ドライブの取付位置を規定する支持フレームと、
当該支持フレームに沿って前記取付位置まで挿入された前記光学ドライブを当該取付位
置から引き抜き不能にするためのロック手段と、
当該ロック手段のロック状態を解除するためのロック解除手段と、
前記光学ドライブを、前記取付位置から引き抜くための引き抜き方向に付勢する第１付
勢手段とを有し、
前記ロック手段は、
前記光学ドライブおよび前記支持フレームのいずれか一方に設けられた係合部と、
前記光学ドライブおよび前記支持フレームのいずれか他方に設けられ、前記係合部と係合して前記光学ドライブを引き抜き不能にするロック位置、および、前記光学ドライブの引き抜きを妨げないロック解除位置に移動可能なロック部材と、
当該ロック部材を前記ロック位置に向けて付勢する第２付勢手段とを備え、
前記ロック部材は、
前記光学ドライブの前記取付位置への挿入動作に伴って前記ロック位置から退避し、
前記光学ドライブが前記取付位置まで挿入されると、前記第２付勢手段の付勢力によっ
て前記ロック位置に移動することを特徴とする光学ドライブ着脱機構。
【請求項２】
請求項１において、
前記係合部は、前記光学ドライブに設けられたロックピンであり、
前記ロック部材は、前記支持フレームに回転自在に支持されるロックレバーであり、
前記第２付勢手段は、前記ロックレバーを、前記光学ドライブの挿入時の前記ロックピ
ンの通過経路上から退避している前記ロック解除位置から、前記通過経路上に進出してい
る前記ロック位置に向けて旋回させる方向に付勢しており、
前記ロックレバーは、
前記光学ドライブの前記取付位置への挿入動作に伴い、前記ロックピンに押圧されて前
記ロック解除位置側に旋回し、
前記光学ドライブが前記取付位置まで挿入されると、前記ロック位置に復帰することを
特徴とする光学ドライブ着脱機構。
【請求項３】
請求項２において、
前記ロック解除手段は、
前記ロックレバーに形成されたガイド孔と、
当該ガイド孔に係合されるロック解除ピンが一端に形成されたロック解除レバーとを備
え、
前記ガイド孔および前記ロック解除ピンは、前記ロック解除レバーの前記引き抜き方向
への直線運動を、前記ロックレバーの前記ロック解除位置側への旋回運動に変換するよう
に構成されていることを特徴とする光学ドライブ着脱機構。
【請求項４】
請求項２または３において、
前記ロックピンは、前記光学ドライブの一方の側部に設けられ、
前記ロックレバーは、前記一方の側部に沿って延びる前記支持フレームの部位に設けら
れ、
前記光学ドライブにおける他方の側部と対峙する前記支持フレームの部位に、前記光学
ドライブに側方から当接する突出部が設けられていることを特徴とする光学ドライブ着脱
機構。
【請求項５】
請求項１ないし４のいずれかの項において、
前記支持フレームは、複数台の前記光学ドライブを上下に重ねた状態で支持しており、
各光学ドライブに対応して、前記ロック手段および前記ロック解除手段が設けられ、
前記ロック手段および前記ロック解除手段は、各光学ドライブと、その上方あるいは下
方に配置された他の光学ドライブとの間に設けられた排熱用の隙間を塞ぐことのないよう
に設置されていることを特徴とする光学ドライブ着脱機構。
【請求項６】
請求項１において、
前記係合部は、前記光学ドライブに形成され当該光学ドライブの幅方向に延びる第１係
合溝であり、当該第１係合溝の一端に、前記光学ドライブの前後方向に延びる第２係合溝
が接続されており、
前記ロック部材は、前記光学ドライブの幅方向にスライド可能な状態で前記支持フレー
ムに支持され、且つ、前記第２付勢手段によってスライド方向に付勢されているスライド
板であって、前記第１係合溝および前記第２係合溝内を移動するスライドピンが形成され
ており、
前記光学ドライブの前記取付位置への挿入動作に伴い、前記スライドピンが前記第２係
合溝内を前記第１係合溝との接続位置に向けて移動し、
前記光学ドライブが前記取付位置まで挿入されると、前記第２付勢手段の付勢力によっ
て前記第１係合溝内に前記スライドピンが進入して、前記ロック状態が形成されることを
特徴とする光学ドライブ着脱機構。
【請求項７】
請求項１ないし６のいずれかの項に記載の光学ドライブ着脱機構と、
当該光学ドライブ着脱機構によって着脱可能に取り付けられる光学ドライブと、
前記取付位置に装着された前記光学ドライブに光ディスクを搬送するための搬送機構を
有することを特徴とする光ディスク処理装置。
【発明の詳細な説明】
【技術分野】
【０００１】
本発明は、ＣＤやＤＶＤなどの光ディスクにデータを書き込むための光学ドライブを備
える光ディスク処理装置およびその光学ドライブ着脱機構に関する。
【背景技術】
【０００２】
大量のデータを記録するためのメディアとして、ＣＤ、ＤＶＤなどの光ディスクが広く
利用されている。このような光ディスクにデータを書き込んでＣＤ／ＤＶＤディスクとし
て発行するために、データの記録再生用の光学ドライブ、および、光ディスクのレーベル
面に印刷を行うためのプリンターを備えるパブリッシャーが用いられている。この種のパ
ブリッシャーは、光学ドライブから出し入れ可能に設けられたディスクトレイと、このデ
ィスクトレイ上に光ディスクを搬送する搬送アームなどの搬送機構を備えており、これら
を駆動制御することにより、光学ドライブへの光ディスクの供給および光ディスクの取り
出しを行っている。
【０００３】
従来は、パブリッシャーなどの装置内に光学ドライブを取り付けるとき、光学ドライブ
を予め支持フレームに取り付けて、これを装置内に位置決めして固定している。このよう
な取付方法を採用した場合、光学ドライブの交換を行うときには支持フレームごと装置内
から取り外し、支持フレームに新たな光学ドライブを取り付けた後、再度支持フレームご
と装置内に固定する必要があった。そして、このような作業は作業負担が大きく、光学ド
ライブの正確な位置決めも困難であった。
【０００４】
光学ドライブに対するディスクの受け渡しを確実に行って搬送信頼性を高めるためには
、搬送機構による光ディスクの搬送位置と、ディスクトレイの進出位置とが一致するよう
に、光学ドライブの取付位置を正確に調整する必要がある。この点を考慮して、パブリッ
シャーにおいて、光学ドライブの取付位置を微調整するための位置決め機構を設けること
が提案されている。特許文献１には、この種のパブリッシャーが開示されている。
【０００５】
特許文献１のパブリッシャーは、光学ドライブ（メディアドライブ）を支持する支持フ
レームに対し、光学ドライブを前方から挿入して前後方向に適宜移動させて取付位置の微
調整を行い、適宜の位置で固定できる構成となっている。光学ドライブの左右方向の一方
の側部の前端部分には、光学ドライブを後方に向けて付勢するための捻りバネが設けられ
ている。一方、この側部の後端部分には、位置調整用ネジ部材が前後方向を向くように螺
合されている。
【０００６】
特許文献１では、光学ドライブの位置決めを行うときには、支持フレームの後方から位
置調整用ネジ部材を回すことによって捻りバネの付勢力に抗して光学ドライブを前方側に
移動させる。装置本体の支持フレームには前後方向に延びる長穴状のガイド穴が形成され
ており、光学ドライブを前後方向に動かすと、このガイド穴と光学ドライブ側に形成され
た固定用ネジ穴とが重なり合った状態で前後に相対移動する。位置調整の完了後、固定用
ネジ穴およびガイド穴に通した固定ネジを締めることにより、支持フレームに対して光学
ドライブを固定することができる。
【先行技術文献】
【特許文献】
【０００７】
【特許文献１】特開２００９−１８１６３６号公報
【発明の概要】
【発明が解決しようとする課題】
【０００８】
特許文献１の構成は、光学ドライブの取付位置を微調整できるものの、規定の取付位置
に位置決めできたことを確認するための手段や、規定の取付位置に正確に装着されたか否
かを確認するための手段は特に設けられていない。そのため、規定の取付位置への正確な
位置決めや取付完了確認が難しく、取付作業に手間がかかるという問題点がある。
【０００９】
また、特許文献１の構成は、光学ドライブを着脱可能に取り付けることができるものの
、光学ドライブの着脱作業を行うためには支持フレームの背面側および側面側から固定ネ
ジおよび位置調整用ネジ部材の操作を行わなければならない。このため、支持フレームご
と光学ドライブを取り外すか、あるいは、装置の外装ケースを外して背面側および側面側
から作業を行う必要がある。従って、光学ドライブの着脱時の作業負担が大きく、作業性
も良好とはいえない。
【００１０】
本発明の課題は、この点に鑑みて、パブリッシャーなどの光学ディスク処理装置におけ
る搬送信頼性の向上および光学ドライブの交換作業の負担軽減を図るために、光学ドライ
ブの着脱作業を正確に、且つ、容易に行うことができる光学ディスク着脱機構、および、
このような光学ディスク着脱機構を有する光学ディスク処理装置を提案することにある。
【００１１】
上記の課題を解決するために、本発明の光学ドライブ着脱機構は、
光学ドライブの取付位置を規定する支持フレームと、
当該支持フレームに沿って前記取付位置まで挿入された前記光学ドライブを当該取付位
置から引き抜き不能にするためのロック手段と、
当該ロック手段のロック状態を解除するためのロック解除手段と、
前記光学ドライブを、前記取付位置から引き抜くための引き抜き方向に付勢する第１付
勢手段とを有し、
前記ロック手段は、
前記光学ドライブおよび前記支持フレームの一方に設けられた係合部と、
前記光学ドライブおよび前記支持フレームの他方に設けられ、前記係合部と係合して前
記光学ドライブを引き抜き不能にするロック位置、および、前記光学ドライブの引き抜き
を妨げないロック解除位置に移動可能なロック部材と、
当該ロック部材を前記ロック位置に向けて付勢する第２付勢手段とを備え、
前記ロック部材は、
前記光学ドライブの前記取付位置への挿入動作に伴って前記ロック位置から退避し、
前記光学ドライブが前記取付位置まで挿入されると、前記第２付勢手段の付勢力によっ
て前記ロック位置に移動することを特徴としている。
【００１２】
本発明は、光学ドライブを取付位置まで挿入すると、第２付勢手段の付勢力によってロ
ック部材がロック位置に移動して自動的にロック状態が形成され、光学ドライブが引き抜
き不能になる。このような構成では、光学ドライブを支持フレームに沿って規定の挿入方
向に挿入するだけで光学ドライブの取り付けが完了し、支持フレームに対する光学ドライ
ブのネジ止め作業などの面倒な作業を行う必要がない。また、支持フレームに対して一方
向から光学ドライブを挿入するだけで済み、支持フレームの後方を覆う外装カバーなどを
取り外す必要がない。よって、光学ドライブの取付作業を極めて簡単に行うことができる
。
【００１３】
また、本発明では、光学ドライブを引き抜き方向に付勢する第１付勢手段を備えている
ため、取り付け完了時にロック状態が形成されたとき、この付勢力により、光学ドライブ
を確実に規定の取付位置に位置決めできる。よって、光学ドライブと搬送機構との間で光
ディスクを確実に受け渡すことができ、光ディスクの搬送信頼性が向上する。また、光学
ドライブを取付位置まで挿入できていない場合にはロック状態が形成されず、このときに
は、第１付勢手段の付勢力により、光学ドライブが引き抜き方向に押し出される。従って
、規定の取付位置に取り付けられたか否かを一目で確認できる。更に、ロック解除手段に
よるロック解除を行ったときには光学ドライブが自動的に引き抜き方向に押し出されるた
め、光学ドライブを容易に引き抜くことができる。よって、取り外し作業が容易である。
【００１４】
本発明において、前記係合部は、前記光学ドライブに設けられたロックピンであり、前
記ロック部材は、前記支持フレームに回転自在に支持されるロックレバーであり、前記第
２付勢手段は、前記ロックレバーを、前記光学ドライブの挿入時の前記ロックピンの通過
経路上から退避している前記ロック解除位置から、前記通過経路上に進出している前記ロ
ック位置に向けて旋回させる方向に付勢しており、前記ロックレバーは、前記光学ドライ
ブの前記取付位置への挿入動作に伴い、前記ロックピンに押圧されて前記ロック解除位置
側に旋回し、前記光学ドライブが前記取付位置まで挿入されると、前記ロック位置に復帰
する構成とすることができる。このようにすると、簡易な構成でありながら、光学ドライ
ブの挿入途中にはロックピンによってロック位置からロックレバーを退避させ、光学ドラ
イブが取付位置に到達したときには自動的にロック状態を形成することができる。
【００１５】
また、この場合に、前記ロックレバーに形成されたガイド孔と、当該ガイド孔に係合さ
れるロック解除ピンが一端に形成されたロック解除レバーとを備え、前記ガイド孔および
前記ロック解除ピンは、前記ロック解除レバーの前記引き抜き方向への直線運動を、前記
ロックレバーの前記ロック解除位置側への旋回運動に変換するように構成されている。こ
のようにすると、第１ロック解除レバーを引っ張る操作によって光学ドライブのロック状
態を極めて簡単に解除できる。また、ロック解除後は、第１付勢手段によって光学ドライ
ブが押し出されるため、極めて容易に光学ドライブを引き抜くことができる。
【００１６】
ここで、前記ロックピンは、前記光学ドライブの一方の側部に設けられ、前記ロックレ
バーは、前記一方の側部に沿って延びる前記支持フレームの部位に設けられ、前記光学ド
ライブにおける他方の側部と対峙する前記支持フレームの部位に、前記光学ドライブに側
方から当接する突出部が設けられていることが望ましい。このようにすると、光学ドライ
ブをその一方の側部のみにおいてロックする構造となるため、ロック手段を小型化してシ
ンプルな構成にすることができる。その一方で、他方の側部にロック手段を設けていない
ため、第１付勢手段の付勢力が、光学ドライブをそのロック位置を中心として旋回させる
方向に作用する。本発明では、ロック手段を設けていない側に突出部を設け、この部分を
光学ドライブに当接させて光学ドライブを幅方向に位置決めしているため、第１付勢手段
による付勢位置とロック位置が光学ドライブの幅方向にずれていて光学ドライブに回転力
が作用する場合においても、光学ドライブの回転防止を図ることができる。
【００１７】
また、本発明において、前記支持フレームは、複数台の前記光学ドライブを上下に重ね
た状態で支持しており、各光学ドライブに対応して、前記ロック手段および前記ロック解
除手段が設けられ、前記ロック手段および前記ロック解除手段は、各光学ドライブと、そ
の上方あるいは下方に配置された他の光学ドライブとの間に設けられた排熱用の隙間を塞
ぐことのないように設置されていることが望ましい。このようにすると、光学ドライブの
冷却に有利となり、光学ドライブが過熱状態となるのを抑制できる。
【００１８】
あるいは、本発明において、前記係合部は、前記光学ドライブに形成され当該光学ドラ
イブの幅方向に延びる第１係合溝であり、当該第１係合溝の一端に、前記光学ドライブの
前後方向に延びる第２係合溝が接続されており、前記ロック部材は、前記光学ドライブの
幅方向にスライド可能な状態で前記支持フレームに支持され、且つ、前記第２付勢手段に
よってスライド方向に付勢されているスライド板であって、前記第１係合溝および前記第
２係合溝内を移動するスライドピンが形成されており、前記光学ドライブの前記取付位置
への挿入動作に伴い、前記スライドピンが前記第２係合溝内を前記第１係合溝との接続位
置に向けて移動し、前記光学ドライブが前記取付位置まで挿入されると、前記第２付勢手
段の付勢力によって前記第１係合溝内に前記スライドピンが進入して、前記ロック状態が
形成される構成とすることができる。このようにすると、光学ドライブを第２係合溝によ
ってガイドしながら挿入できると共に、挿入途中にはスライド板のロック方向への移動を
規制してロック解除状態に保持できる。そして、光学ドライブが取付位置に到達したとき
には自動的にロック状態を形成できる。
【００１９】
次に、本発明の光ディスク処理装置は、上記の光学ドライブ着脱機構と、当該光学ドラ
イブ着脱機構によって着脱可能に取り付けられる光学ドライブと、前記取付位置に装着さ
れた前記光学ドライブに光ディスクを搬送するための搬送機構を有することを特徴として
いる。
【発明の効果】
【００２０】
本発明によれば、光学ドライブを規定の挿入方向に挿入するだけで光学ドライブの取り
付けが完了し、支持フレームに対する光学ドライブのネジ止め作業などの面倒な作業を行
う必要がない。また、支持フレームの後方を覆う外装カバーなどを取り外す必要もない。
よって、光学ドライブの取付作業を極めて簡単に行うことができる。
【００２１】
また、本発明によれば、光学ドライブが引き抜き方向に付勢されるため、取り付け完了
時にロック状態が形成されたとき、この付勢力により、光学ドライブを確実に規定の取付
位置に位置決めできる。よって、光学ドライブと搬送機構との間で光ディスクを確実に受
け渡すことができ、光ディスクの搬送信頼性が向上する。また、光学ドライブを取付位置
まで挿入できていない場合にはロック状態が形成されず、光学ドライブが引き抜き方向に
押し出される。従って、規定の取付位置に取り付けられたか否かを一目で確認できる。更
に、ロック解除手段によるロック解除を行ったときには光学ドライブが自動的に引き抜き
方向に押し出されるため、光学ドライブを容易に引き抜くことができる。よって、取り外
し作業が容易である。
【図面の簡単な説明】
【００２２】
【図１】本発明を適用したパブリッシャーを前面側から見た斜視図である。
【図２】光学ドライブおよびその支持フレームを示す斜視図である。
【図３】支持フレームの斜視図である。
【図４】光学ドライブを斜め下側から見た斜視図である。
【図５】実施形態１の光学ドライブ着脱機構の底面図（ロック状態）である。
【図６】実施形態１の光学ドライブ着脱機構の底面図（光学ドライブが挿入途中位置にある状態）である。
【図７】実施形態１のロック解除レバーを斜め下側から見た斜視図である。
【図８】実施形態１の光学ドライブ着脱機構の底面図（ロック解除状態）である。
【図９】実施形態２の光学ドライブ着脱機構の要部を示す底面図（ロック状態）である。
【図１０】実施形態２の光学ドライブ着脱機構の要部を示す底面図（光学ドライブが挿入途中位置にある状態）である。
【図１１】実施形態２の光学ドライブ着脱機構の要部を示す底面図（ロック解除状態）である。
【発明を実施するための形態】
【００２３】
以下に、図面を参照して、本発明を適用したパブリッシャーおよびその光学ドライブ着
脱機構の実施の形態を説明する。
【００２４】
（全体構成）
図１は本発明を適用したパブリッシャーを前面側から見た斜視図であり、装置ケースの
前面扉を開くと共に装置ケースの上板部分の一部を外した状態を示している。パブリッシ
ャー１（光ディスク処理装置）は、ＣＤ、ＤＶＤなどの光ディスク１０にデータの書込み
とレーベルの印刷とを連続して行うものであり、光ディスク１０を搬送するためのオート
ローダー２（搬送機構）と、光ディスク１０にデータを書込む光学ドライブ３と、光ディ
スク１０のレーベル面に印刷するためのレーベルプリンター４を有している。また、光学
ドライブ３に供給されるブランクディスク１０Ａを収納する供給スタッカー５と、データ
の書込みおよびレーベル印刷が終了した完成ディスク１０Ｂを収納するための収納スタッ
カー６を有している。
【００２５】
詳細に説明すると、パブリッシャー１は箱型の装置ケース７を備えており、この装置ケ
ース７の前面には左右に開閉可能な開閉扉８、９が取り付けられている。装置ケース７内
において、装置前面から見て右側に位置する開閉扉８の内側に、供給スタッカー５と収納
スタッカー６が上下に重なった状態で配置されている。各スタッカー５、６は、光ディス
ク１０（ブランクディスク１０Ａ、完成ディスク１０Ｂ）を上下方向に積層した状態で収
納するものである。これらのスタッカー５、６は、開閉扉８を開けて手前に引き出すこと
が可能となっている。引き出した状態の供給スタッカー５にはブランクディスク１０Ａを
供給あるいは補充でき、引き出した状態の収納スタッカー６からは、収納されている完成
ディスク１０Ｂを取り出すことができる。
【００２６】
供給スタッカー５および収納スタッカー６の後方には、オートローダー２（搬送機構）
が配置されている。オートローダー２は、垂直ガイド軸２ａと、この垂直ガイド軸２ａに
取り付けられたディスクキャリア２ｂを備えている。ディスクキャリア２ｂは、垂直ガイ
ド軸２ａに沿って昇降可能であるとともに、垂直ガイド軸２ａを中心に旋回可能になって
いる。ディスクキャリア２ｂの先端には、光ディスク１０の中心に形成された孔を利用し
て光ディスク１０を保持するための図示しない保持手段が設けられている。オートローダ
ー２は、ディスクキャリア２ｂの昇降動作および旋回動作の組み合わせによって、光学ド
ライブ３、レーベルプリンター４、供給スタッカー５および収納スタッカー６の間で光デ
ィスク１０を搬送する。
【００２７】
装置ケース７内の正面中央部の後ろ側の部位には、２台の光学ドライブ３が上下に重な
った状態で配置され、その下側にレーベルプリンター４が配置されている。装置ケース７
内における装置前面から見て左側に位置する開閉扉９の内側にはカートリッジ装着部４ｂ
が配置されている。このカートリッジ装着部４ｂには、レーベルプリンター４にインクを
供給するためのインクカートリッジが装着される。
【００２８】
図１は、光学ドライブ３のディスクトレイ３ａおよびレーベルプリンター４のディスク
トレイ４ａが引き出された状態を示している。このディスクトレイ３ａ、４ａの位置が、
光学ドライブ３およびレーベルプリンター４とオートローダー２との間で光ディスク１０
の受け渡しを行うための受け渡し位置となっている。光学ドライブ３のディスクトレイ３
ａは、光学ドライブ３内に後退したデータ書き込み位置と、図１に示す受け渡し位置との
間を移動可能となっている。同様に、レーベルプリンター４のディスクトレイ４ａは、プ
リンター内に後退した印刷位置と、図１に示す受け渡し位置との間を移動可能となってい
る。
【００２９】
（光学ドライブの着脱機構：実施形態１）
図２は光学ドライブ３およびその支持フレームを示す斜視図であり、図３は支持フレー
ムの斜視図である。図２に示すように、光学ドライブ３は、その上方および側方を覆う支
持フレーム１１によって保持されている。支持フレーム１１は、装置ケース７内における
レーベルプリンター４の上方に固定されている。この支持フレーム１１により、光学ドラ
イブ３の取付位置Ｐ１および取付位置Ｐ２が規定されている。光学ドライブ３は、支持フ
レーム１１の前方から取付位置Ｐ１、Ｐ２に挿入される。
【００３０】
パブリッシャー１は、取付位置Ｐ１、Ｐ２のそれぞれに光学ドライブ３を着脱可能に取
り付けるための光学ドライブ着脱機構１Ａ（図５、６、８参照）を備えている。光学ドラ
イブ着脱機構１Ａは、上記の支持フレーム１１と、光学ドライブ３を取付位置Ｐ１、Ｐ２
から引き抜き不能にするためのロック機構１Ｂ（ロック手段：図５、６、８参照）と、ロ
ック機構１Ｂのロック状態を解除するためのロック解除機構１Ｃ（ロック解除手段：図５
、６、８参照）を備えている。また、光学ドライブ着脱機構１Ａは、光学ドライブ３の後
方に配置されたコネクター接続機構１Ｄ（第１付勢手段：図５、６、８参照）を備えてい
る。
【００３１】
図２、図３に示すように、支持フレーム１１は、左右の側板１２Ｌ、１２Ｒおよび天板
１３を備えている。側板１２Ｌ、１２Ｒの下端およびその上方の所定の高さ位置には、上
下２段に配置された各光学ドライブ３の左右の側端部分を支持する支持板１４Ｌ、１４Ｒ
が２段に配置されている。下側の支持板１４Ｌ、１４Ｒは、左右の側板１２Ｌ、１２Ｒの
下端を内側に折り曲げて形成されている。また、上側の支持板１４Ｌ、１４Ｒは、左右の
側板１２Ｌ、１２Ｒに切り込みを入れて内側に折り曲げることにより形成されている。上
側の支持板１４Ｌ、１４Ｒと下側の支持板１４Ｌ、１４Ｒとの高低差は、上側の光学ドラ
イブ３と下側の光学ドライブ３との間に、排熱用の所定の隙間を確保できるように設定さ
れている。
【００３２】
左側の各支持板１４Ｌの上には、ロックレバー１５（ロック部材）およびロック解除レ
バー１６が取り付けられている。各支持板１４Ｌの後端寄りの位置から上方に向かって回
転支軸１７が延びており、各ロックレバー１５は、各回転支軸１７に回転自在に取り付け
られている。また、ロック解除レバー１６の後端部分には前後方向に延びる長孔１６ａが
形成され、ここに回転支軸１７が挿通されている。これにより、ロック解除レバー１６は
、側板１２Ｌに沿って前後方向にスライド可能となっている。
【００３３】
図４は、光学ドライブ３を斜め下側から見た斜視図である。光学ドライブ３は、ロック
レバー１５と対峙する部分に固定されたロック板１８を備えている。ロック板１８は、光
学ドライブ３の筺体の左側面に固定された側板部１８ａと、光学ドライブ３の筺体底面の
左端部分に固定された底板部１８ｂを備えている。底板部１８ｂの後端には、下向きに突
出するロックピン１９（係合部）が形成されている。また、底板部１８ｂの前端には、光
学ドライブ３の筺体前面よりも更に前方に突出する操作片１８ｃが形成されている。後述
するロック解除状態では、操作片１８ｃを前方に引くことにより、光学ドライブ３を支持
フレーム１１内から前方に引き抜くことができる。
【００３４】
図５、図６は、光学ドライブ着脱機構１Ａを下側から見た状態を示す底面図であり、図
５は光学ドライブ３のロック状態、図６は光学ドライブ３が取付位置Ｐ１あるいはＰ２へ
の挿入途中位置にある状態を示している。なお、図５、図６では、支持板１４Ｌを省略し
、その輪郭線のみを破線で示している。また、図５、図６における矢印Ａ１は光学ドライ
ブ３の挿入方向であり、矢印Ａ２は光学ドライブ３の引き抜き方向である。
【００３５】
図５、図６に示すように、ロックレバー１５は、支持フレーム１１の後方に向かうに従
って幅広となる楔形の平面形状をしており、その後端部分には、光学ドライブ３の側に突
出する係合爪１５ａが形成されている。ロックレバー１５の回転支軸１７には、ロックレ
バー１５をロック方向に付勢する捻りバネ２０（第２付勢手段）が取り付けられている。
捻りバネ２０による付勢方向（ロック方向）は、図５において矢印Ｂで示すように、係合
爪１５ａを光学ドライブ３の側に進出させる旋回方向である。
【００３６】
光学ドライブ３が取付位置Ｐ１あるいはＰ２まで挿入されたとき、ロックレバー１５は
、図５に示すように、捻りバネ２０の付勢力により、係合爪１５ａが支持フレーム１１の
内側に向けて大きく飛び出した姿勢となっている。この位置が、ロックレバー１５のロッ
ク位置１５Ａである。
【００３７】
光学ドライブ３が支持フレーム１１内に装着されていないとき、ロックレバー１５は、
捻りバネ２０の付勢力により、図５と同様の姿勢になっている。この状態から、光学ドラ
イブ３を支持フレーム１１内に挿入すると、挿入途中で、光学ドライブ３の底面に設けら
れたロックピン１９がロックレバー１５に前方から当接し、これを後方に押圧する。この
ため、ロックレバー１５は、捻りバネ２０の付勢力に逆らって旋回し、図６に示すように
、側板１２Ｌの側に退避する。すなわち、ロックレバー１５は、光学ドライブ３の挿入動
作に伴ってロック位置１５Ａから退避し、光学ドライブ３の進入を妨げないように構成さ
れている。
【００３８】
光学ドライブ３が取付位置Ｐ１あるいはＰ２に到達すると、ロックレバー１５の後端よ
りも後方にロックピン１９が移動する。このため、ロックレバー１５が図５に示すロック
位置１５Ａに戻り、係合爪１５ａがロックピン１９の前方に突出してロックピン１９に係
合する。よって、光学ドライブ３を引き抜き不能なロック状態が形成される。このように
、ロックレバー１５、ロックピン１９、および捻りバネ２０により、光学ドライブ３のロ
ック機構１Ｂが構成されている。
【００３９】
図７はロック解除レバー１６を斜め下側から見た斜視図である。ロック解除レバー１６
の後端部分には、ロックレバー１５の上に載ってスライドする水平なスライド片１６ｂが
形成されている。スライド片１６ｂの後端には上述した長孔１６ａが形成されており、長
孔１６ａの前方には、下向きに突出するロック解除ピン１６ｃが形成されている。また、
ロック解除レバー１６の前端部分には、スライド片１６ｂの前端から前方に延びる解除操
作片１６ｄが形成されている。解除操作片１６ｄは、光学ドライブ３が取付位置Ｐ１ある
いはＰ２に装着されたとき、その筺体前面よりも前方に突出している。
【００４０】
図５、図６に示すように、ロックレバー１５の前端側にはガイド孔１５ｂが形成されて
おり、ここにロック解除ピン１６ｃが挿入されている。ガイド孔１５ｂは、図５に示すよ
うに、ロックレバー１５がロック位置１５Ａにあるとき、光学ドライブ３の挿入方向（矢
印Ａ１方向）に対して斜めに延びている。ガイド孔１５ｂの傾き方向は、ロックレバー１
５の前端側に向かうに従って側板１２Ｌに近づき、後端側に向かうに従って側板１２Ｌか
ら離れる方向となっている。
【００４１】
図８は光学ドライブ着脱機構１Ａの底面図であり、ロック解除状態を示している。図５
に示す光学ドライブ３のロック状態において、ロック解除レバー１６を前方側（矢印Ａ２
方向）に引くと、ロック解除ピン１６ｃがガイド孔１５ｂ内を前方に移動する。このとき
、ガイド孔１５ｂは、ロック解除ピン１６ｃの移動方向に対して上記のように傾斜してい
るため、ロック解除レバー１６の直線運動がロックレバー１５の旋回運動に変換され、ロ
ックレバー１５が捻りバネ２０の付勢力に逆らって旋回し、ロック解除位置１５Ｂに移動
する。これにより、ロックレバー１５の係合爪１５ａがロックピン１９の前方から退避し
、光学ドライブ３を前方に引き抜くことが可能になる。このように、ロック解除レバー１
６およびこれに形成されたロック解除ピン１６ｃ、ならびに、ガイド孔１５ｂにより、ロ
ック解除機構１Ｃが構成されている。
【００４２】
ここで、図５、６、８に示すように、支持フレーム１１の後方には、パブリッシャー１
内の基板や電源装置からのデータ通信や電源供給用の配線を光学ドライブ３に接続するた
めのコネクター接続機構１Ｄ（第１付勢手段）が設けられている。コネクター接続機構１
Ｄは、支持フレーム１１の後方に引き出されている配線ケーブル（図示省略）の端部に設
けられている配線接続用の可動コネクター２１と、可動コネクター２１を前後方向（光学
ドライブ３の挿入／引き抜き方向）に移動可能に支持するホルダー２２と、可動コネクタ
ー２１を前方側に付勢する付勢バネ２３を備えている。ホルダー２２は、支持フレーム１
１の後方に固定状態で設置されている。ホルダー２２内には、付勢バネ２３が前後方向に
伸縮可能な状態で配置され、その前端が可動コネクター２１の後端に連結されている。
【００４３】
光学ドライブ３の後端面には、可動コネクター２１に対して着脱可能な固定コネクター
２４が設けられている。固定コネクター２４は、光学ドライブ３が支持フレーム１１に挿
入されると、その後方に設置されている可動コネクター２１と正対する。可動コネクター
２１は、光学ドライブ３を支持フレーム１１内から取り外しているときには、付勢バネ２
３の弾性復帰力により、図６に示す突出位置Ｑ１まで飛び出している。可動コネクター２
１の前後方向の可動範囲はホルダー２２によって規制されており、その前端位置が突出位
置Ｑ１となるように構成されている。
【００４４】
光学ドライブ３を支持フレーム１１内に挿入すると、取付位置Ｐ１、Ｐ２の手前の所定
位置で固定コネクター２４が可動コネクター２１に突き当たる。その後は、付勢バネ２３
の付勢力に逆らって光学ドライブ３を押し込むため、両コネクターが嵌合方向に押し付け
られる。光学ドライブ３が取付位置Ｐ１、Ｐ２まで挿入されたとき、可動コネクター２１
は、図５、図８に示すように、突出位置Ｑ１よりも後方の接続位置Ｑ２まで押し込まれて
いる。可動コネクター２１の可動範囲の後端位置は、接続位置Ｑ２よりもわずかに後方に
設定されているため、光学ドライブ３を取り付けるときは、一旦取付位置Ｐ１、Ｐ２より
も奥まで光学ドライブ３を押し込む。これにより、可動コネクター２１をその可動範囲の
後端位置に位置決めした状態で固定コネクター２４を押し付けることができ、両コネクタ
ーを確実に嵌合させることができる。
【００４５】
固定コネクター２４と可動コネクター２１を嵌合させた後、光学ドライブ３から手を離
すと、付勢バネ２３の弾性復帰力によって光学ドライブ３が前方に戻り、上述したように
、ロックピン１９がロックレバー１５に後方から押し付けられた状態となるように位置決
めされる。すなわち、光学ドライブ３は、取付位置Ｐ１、Ｐ２に位置決めされたとき、両
コネクターを介して、付勢バネ２３の弾性復帰力により、後方から前方に向けて付勢され
ている。
【００４６】
上述したロック解除レバー１６の操作によって図８に示すロック解除状態になると、光
学ドライブ３は、自動的に前方（矢印Ａ２方向）に押し出される。本実施形態では、ホル
ダー２２によって可動コネクター２１の可動範囲が規制されており、光学ドライブ３がロ
ック解除状態になったときには、可動コネクター２１が固定コネクター２４に接続された
状態のままで突出位置Ｑ１まで押し出されて停止する。すなわち、ロック解除時の光学ド
ライブ３の押し出し寸法は、接続位置Ｑ２から突出位置Ｑ１までの可動コネクター２１の
移動距離に一致している。すなわち、可動コネクター２１の可動範囲および付勢バネ２３
の弾性復帰力を適宜設定することにより、ロック解除時の光学ドライブ３の押し出し寸法
を、予め設定した所望の寸法にすることができる。
【００４７】
支持フレーム１１における右側の側板１２Ｒの後端には、左側に向けて突出する突出部
２５が設けられている。突出部２５は、固定コネクター２４を可動コネクター２１に正対
させて光学ドライブ３を挿入したとき、図５、図８に示すように、光学ドライブ３の筐体
右側面に、突出部２５の先端が右側から当接するように構成されている。
【００４８】
光学ドライブ３には、その左端部分にのみロック機構１Ｂが設けられ、右端部分にはロ
ック機構１Ｂが設けられていない。一方、上述したコネクター接続機構１Ｄからの付勢力
は、固定コネクター２４が設けられた光学ドライブ３の後端面の右端寄りの位置に作用し
ている。このような配置では、コネクター接続機構１Ｄの付勢力により、光学ドライブ３
を左方向（図５の矢印Ｃ方向）に旋回させる回転力が生じる。しかしながら、本実施形態
では、光学ドライブ３の後端部分に右側から当接する突出部２５が設けられているため、
光学ドライブ３の左方向への旋回が規制され、光学ドライブ３を正面を向いた姿勢に保持
することができる。
【００４９】
以上のように、実施形態１では、光学ドライブ３を取付位置Ｐ１、Ｐ２まで挿入すると
、捻りバネ２０の付勢力によってロック機構１Ｂのロック状態が形成され、光学ドライブ
３を引き抜くことができなくなる。従って、光学ドライブ３を支持フレーム１１に沿って
その奥に向けて挿入するだけで光学ドライブ３の取り付けが完了する。よって、光学ドラ
イブ３の取付作業を極めて簡単に行うことができる。
【００５０】
また、実施形態１では、光学ドライブ３はコネクター接続機構１Ｄによって引き抜き方
向に付勢されているため、ロック状態において光学ドライブ３が可能な限り前方に押し出
され、ロックピン１９がロックレバー１５に押し当てられる位置で光学ドライブ３が位置
決めされる。従って、取付位置Ｐ１、Ｐ２における光学ドライブ３の位置決めが確実にな
される。これにより、光学ドライブ３とオートローダー２との間で光ディスク１０を確実
に受け渡すことができ、光ディスク１０の搬送信頼性が向上する。また、光学ドライブ３
を取付位置Ｐ１、Ｐ２まできちんと挿入できていない場合にはロック状態が形成されず、
このときには、付勢バネ２３の付勢力により、光学ドライブ３が支持フレーム１１から前
方に押し出される。従って、取付位置Ｐ１、Ｐ２への取付が完了したか否かを一目で確認
できる。更に、ロック解除機構１Ｃによるロック解除を行ったときにも、光学ドライブ３
が自動的に支持フレーム１１内から前方に押し出される。よって、光学ドライブ３を容易
に引き抜くことができ、取り外し作業が容易である。
【００５１】
更に、実施形態１では、ロック機構１Ｂおよびロック解除機構１Ｃを光学ドライブ３の
左端部分にのみ設けているため、ロック機構が上下の光学ドライブ３の隙間を大きく塞い
でしまうことがなく、排熱用の隙間を確保できる。その一方で、右側の側部にはロック機
構１Ｂを設けていないため、付勢バネ２３の付勢力が、光学ドライブ３をそのロック位置
を中心として旋回させる方向に作用する。しかしながら、本実施形態では、突出部２５を
設けたことにより、取付位置Ｐ１、Ｐ２における光学ドライブ３の回転防止が図られてい
る。従って、光学ドライブ３を正確な取付姿勢で取り付けることができる。
【００５２】
（光学ドライブ着脱機構：実施形態２）
実施形態１の光学ドライブ着脱機構１Ａは、ロック機構１Ｂを光学ドライブ３の左側端
部のみに配置したものであったが、ロック機構およびロック解除機構を他の形態にするこ
ともできる。以下、実施形態２の光学ドライブ着脱機構３０Ａについて説明する。実施形
態２の光学ドライブ着脱機構３０Ａは、実施形態１の支持フレーム１１とほぼ同様に構成
された支持フレーム３１を備えており、支持フレーム３１内の取付位置Ｐ１、Ｐ２に、２
台の光学ドライブ３２が着脱可能に取り付けられる。
【００５３】
図９〜１１は、実施形態２の光学ドライブ着脱機構３０Ａの要部を下側から見た状態を
示す底面図であり、図９は光学ドライブ３２のロック状態、図１０は光学ドライブ３２が
取付位置Ｐ１あるいはＰ２への挿入途中位置にある状態、図１１はロック解除状態を示し
ている。光学ドライブ３２は、実施形態１の支持フレーム１１と同様の支持フレーム３１
に設けられた左右の支持板（図示省略）によって左右の端部を支持された状態で、支持フ
レーム３１内に着脱可能に取り付けられる。
【００５４】
実施形態２の光学ドライブ３２は、その底面に取り付けられたロック板３３を備えてい
る。ロック板３３には、同一形状の係合溝３４が左右２箇所に形成されている。各係合溝
３４は、ロック板３３の前端寄りの位置において光学ドライブ３２の幅方向に延びている
第１係合溝３４ａ（係合部）と、第１係合溝３４ａの一端から後方に延びる第２係合溝３
４ｂを備えている。第２係合溝３４ｂは、その前端部分が第１係合溝３４ａと鋭角をなす
ように傾斜して延びており、後端部分は、第１係合溝３４ａと直交する方向（すなわち、
光学ドライブ３２の挿入方向）に延びる形状をしている。また、係合溝３４は、第１係合
溝３４ａの他端から後方に延びており、第２係合溝３４ｂの途中位置に接続している戻り
溝３４ｃを備えている。
【００５５】
光学ドライブ３２が取付位置Ｐ１、Ｐ２に挿入されたとき、その底面のロック板３３に
下側から対峙する位置には、スライド板３５（ロック部材）が配置されている。スライド
板３５の上面には、ロック板３３の各係合溝３４に係合する２本のスライドピン３５ａが
形成されている。スライド板３５は、図示しないスライド機構により、支持フレーム３１
に対し、光学ドライブ３２の挿入方向と直交する方向（図９の矢印Ｄ１、Ｄ２方向）にス
ライド可能に支持されている。スライド板３５の一端にはロック解除ピン３５ｂが形成さ
れている。また、スライド板３５の他端には、スライド板３５をそのスライド方向に付勢
する付勢バネ３６が取り付けられている。付勢バネ３６は、右側の側板３１Ｒとスライド
板３５の右端との間に取り付けられており、スライド板３５を、支持フレーム３１におけ
る左側の側板３１Ｌに向かう方向（矢印Ｄ２方向）に付勢している。
【００５６】
光学ドライブ３２を取付位置Ｐ１あるいはＰ２に向けて挿入開始すると、図１０に示す
ように、第２係合溝３４ｂの後端からスライドピン３５ａが溝内に進入する。スライドピ
ン３５ａは、光学ドライブ３２の挿入途中には第２係合溝３４ｂ内を移動する。第２係合
溝３４ｂは、その中間部分が斜めに延びているため、この部分をスライドピン３５ａが通
るときに、付勢バネ３６の付勢力に逆らって、支持フレーム３１における右側の側板３１
Ｒの側（図１０の矢印Ｄ１方向）にスライド板３５が移動する。
【００５７】
ここで、光学ドライブ３２の挿入時には、後述するロック解除レバー３７を、図９、１
０に示すように、前方に引き出した状態にしておく。これにより、後述するガイド孔３７
ａの後端の幅狭になった部分にスライド板３５のロック解除ピン３５ｂが進入して、図９
、１０に示す位置よりも左側（矢印Ｄ２方向）にスライド板３５が移動することができな
くなっている。このため、スライドピン３５ａは、光学ドライブ３２の挿入時には第２係
合溝３４ｂの途中位置から戻り溝３４ｃに進入することができず、第２係合溝３４ｂの前
端に向かって進む。
【００５８】
光学ドライブ３２が取付位置Ｐ１あるいはＰ２に到達したとき、スライドピン３５ａは
、第２係合溝３４ｂの前端に到達する。これにより、スライドピン３５ａは第１係合溝３
４ａに進入可能となる。スライド板３５は付勢バネ３６によって付勢されているため、図
９に示すように、スライド板３５が付勢方向（矢印Ｄ２方向）に移動し、スライドピン３
５ａが第１係合溝３４ａの中央部分まで進入する。この位置が、スライド板３５のロック
位置３５Ａである。
【００５９】
ロック位置３５Ａでは、スライドピン３５ａが進入している第１係合溝３４ａが光学ド
ライブ３２の挿入方向と直交する方向に延びている。このように、スライドピン３５ａが
第１係合溝３４ａ内に係合されていると、光学ドライブ３２を、取付位置Ｐ１、Ｐ２から
引き抜くための引き抜き方向（矢印Ａ２方向）に移動させることができない。すなわち、
本実施形態では、係合溝３４、スライド板３５および付勢バネ３６により、光学ドライブ
３２のロック機構３０Ｂが構成されている。
【００６０】
光学ドライブ着脱機構３０Ａは、ロック機構３０Ｂによるロック状態を解除するための
ロック解除機構３０Ｃを備えている。ロック解除機構３０Ｃは、上記のスライド板３５に
設けられたロック解除ピン３５ｂと、ロック解除ピン３５ｂを案内するガイド孔３７ａが
形成されたロック解除レバー３７を備えている。ガイド孔３７ａはロック解除レバー３７
の後端部分に形成され、ロック解除レバー３７の前端部分は支持フレーム３１の前方に向
かって延びている。
【００６１】
図９に示すように、スライド板３５がロック位置３５Ａにあるとき、ロック解除ピン３
５ｂは、スライド板３５に加わる付勢バネ３６の付勢力によってガイド孔３７ａの内壁３
７ｂに押し付けられている。ガイド孔３７ａは、後端部分の幅が狭く、前端部分の幅が広
い形状をしており、内壁３７ｂの後端部分が光学ドライブ３２に近く、前端部分が光学ド
ライブ３２から離れている。このため、ロック解除ピン３５ｂに対してガイド孔３７ａを
前後方向に移動させると、スライド板３５が付勢方向あるいはその逆方向に移動する。
【００６２】
図９に示す光学ドライブ３２のロック状態において、ロック解除レバー３７を後方側（
矢印Ａ１方向）に押込むと、ロック解除ピン３５ｂは、内壁３７ｂに沿ってガイド孔３７
ａ内の前方に移動する。このとき、内壁３７ｂが上記のような段差形状となっているため
、スライド板３５が付勢バネ３６の付勢方向（矢印Ｄ２方向）にスライドし、図１１に示
すロック解除位置３５Ｂまで移動する。ロック解除位置３５Ｂでは、スライドピン３５ａ
が戻り溝３４ｃとの接続位置まで移動している。従って、スライドピン３５ａが戻り溝３
４ｃを経由して第２係合溝３４ｂに戻り、光学ドライブ３２を引き抜くことができる。
【００６３】
図９、図１１に示すように、実施形態２においても、実施形態１と同様に、光学ドライ
ブ３２の後方にコネクター接続機構１Ｄが配置されている。従って、ロック解除レバー３
７の操作によってスライド板３５をロック解除位置３５Ｂに移動させ、スライドピン３５
ａと第１係合溝３４ａとの係合を解除すると、コネクター接続機構１Ｄの付勢力により、
光学ドライブ３２が自動的に前方（矢印Ａ２方向）に押し出される。
【００６４】
実施形態２では、このような構成により、実施形態１と同様に、光学ドライブ３２を取
付位置Ｐ１、Ｐ２まで挿入すると、自動的にロック機構１Ｂのロック状態が形成される。
従って、光学ドライブ３２の取付作業を極めて簡単に行うことができる。また、コネクタ
ー接続機構１Ｄにより、ロック状態において光学ドライブ３２が可能な限り前方に押し出
されるため、取付位置Ｐ１、Ｐ２における光学ドライブ３２の位置決めが確実になされる
。更に、光学ドライブ３２を取付位置Ｐ１、Ｐ２まで挿入できていない場合、および、ロ
ック解除機構３０Ｃによるロック解除を行ったときには光学ドライブ３２が自動的に前方
に押し出される。従って、取付位置Ｐ１、Ｐ２への取付が完了したか否かを一目で確認で
きると共に、光学ドライブ３２の取り外し作業が容易である。
【００６５】
（他の実施形態）
上記実施形態１、２は、多数の光ディスク１０へのデータの書き込みを連続で行うため
のパブリッシャー１に本発明を適用したものであったが、本発明は、光学ドライブを着脱
可能に装着し、光ディスクの搬送機構を備える各種の光ディスク処理装置に適用できる。
【符号の説明】
【００６６】
１…パブリッシャー（光ディスク処理装置）、１Ａ…光学ドライブ着脱機構、１Ｂ…ロッ
ク機構（ロック手段）、１Ｃ…ロック解除機構（ロック解除手段）、１Ｄ…コネクター接
続機構（第１付勢手段）、２…オートローダー（搬送機構）、２ａ…垂直ガイド軸、２ｂ
…ディスクキャリア、３…光学ドライブ、３ａ…ディスクトレイ、４…レーベルプリンタ
ー、４ａ…ディスクトレイ、４ｂ…カートリッジ装着部、５…供給スタッカー、６…収納
スタッカー、７…装置ケース、８…開閉扉、９…開閉扉、１０…光ディスク、１０Ａ…ブ
ランクディスク、１０Ｂ…完成ディスク、１１…支持フレーム、１２Ｌ…側板、１２Ｒ…
側板、１３…天板、１４Ｌ…支持板、１４Ｒ…支持板、１５…ロックレバー（ロック部材
）、１５ａ…係合爪、１５ｂ…ガイド孔、１５Ａ…ロック位置、１５Ｂ…ロック解除位置
、１６…ロック解除レバー、１６ａ…長孔、１６ｂ…スライド片、１６ｃ…ロック解除ピ
ン、１６ｄ…解除操作片、１７…回転支軸、１８…ロック板、１８ａ…側板部、１８ｂ…
底板部、１８ｃ…操作片、１９…ロックピン（係合部）、２０…捻りバネ（第２付勢手段
）、２１…可動コネクター、２２…ホルダー、２３…付勢バネ、２４…固定コネクター、
２５…突出部、３０Ａ…光学ドライブ着脱機構、３０Ｂ…ロック機構、３０Ｃ…ロック解
除機構、３１…支持フレーム、３１Ｌ…側板、３１Ｒ…側板、３２…光学ドライブ、３３
…ロック板、３４…係合溝、３４ａ…第１係合溝（係合部）、３４ｂ…第２係合溝、３４
ｃ…戻り溝、３５…スライド板（ロック部材）、３５ａ…スライドピン、３５ｂ…ロック
解除ピン、３５Ａ…ロック位置、３５Ｂ…ロック解除位置、３６…付勢バネ、３７…ロッ
ク解除レバー、３７ａ…ガイド孔、３７ｂ…内壁、Ｐ１…取付位置、Ｐ２…取付位置、Ｑ
１…突出位置、Ｑ２…接続位置
【図１】
2013008416.tif 000003
【図２】
2013008416.tif 000004
【図３】
2013008416.tif 000005
【図４】
2013008416.tif 000006
【図５】
2013008416.tif 000007
【図６】
2013008416.tif 000008
【図７】
2013008416.tif 000009
【図８】
2013008416.tif 000010
【図９】
2013008416.tif 000011
【図１０】
2013008416.tif 000012
【図１１】
2013008416.tif 000013